(57)【特許請求の範囲】
【請求項１】
指針を駆動するムーブメントと、回路基板と、スピーカとをケースの内部に設けてなる時計装置において、
前記ケースは、その正面側を構成する第１ケース部材と、その背面側を構成する第２ケース部材とを組付けてなるものであり、前記ムーブメントが前記第１ケース部材と前記回路基板との間に位置するとともに、前記スピーカが前記第２ケース部材と前記回路基板との間に位置するものとし、
前記ムーブメントは、その正面側に前記指針を装着する指針パイプを備えるとともに、その背面側に前記指針の回転位置を調整する針合せ摘みを備えたものであり、
前記回路基板は、その背面側に操作スイッチが搭載されたものであり、
前記第１ケース部材には、前記指針パイプを露呈する第１孔部を設け、
前記第２ケース部材には、前記針合せ摘みを露呈する第２孔部と、前記操作スイッチを露呈する第３孔部と、前記回路基板をねじ止めする第１雌ねじボスと、前記ムーブメントをねじ止めする第２雌ねじボスと、前記スピーカを装着するスピーカ装着部と、前記スピーカの音を前記ケースの外部に拡散する音孔とを設け、
前記回路基板には、前記針合せ摘みを挿通する第１挿通部と、前記第２雌ねじボスを挿通する第２挿通部とを設けたことを特徴とする時計装置。
【請求項２】
前記第１ケース部材には、前記回路基板の正面側の一部を露呈する凹部を設け、
前記凹部にて露呈された前記回路基板の部位には、外部の環境を検出するセンサを搭載する端子を設けたことを特徴とする請求項１記載の時計装置。
【請求項３】
前記第１ケース部材には、前記回路基板の正面側の一部を露呈する凹部を設け、
前記凹部にて露呈された前記回路基板の部位には、外部のリード線を接続する端子を設けたことを特徴とする請求項１記載の時計装置。
【発明の詳細な説明】
【技術分野】
【０００１】
本発明は、指針を駆動するムーブメントと、回路基板と、スピーカとをケースの内部に設けてなる時計装置に関する。
【背景技術】
【０００２】
時計の指針を駆動するムーブメントは、指針パイプが減速機構を介してモータにより駆動する構成となっている。アナログ式の時計装置は、このようなムーブメントを用いて構成される。特許文献１には、スピーカを備えた時計装置が開示されている。
【０００３】
この種の時計装置は、ムーブメント、回路基板、及びスピーカ等の所要の構成要素をケースの内部に設けてなるユニットである。このユニットを時計の筐体に装着して時計を製造する。筐体を設計変更することによれば、様々なデザインの時計を効率よく製造することが可能である。つまり、汎用性に優れたものとなっている。
【先行技術文献】
【特許文献】
【０００４】
【特許文献１】特開平９−２０３７８３号公報
【発明の概要】
【発明が解決しようとする課題】
【０００５】
さて近年、時計のデザインは益々多様化される傾向にあり、前述したユニットについても、構造の簡素化や製造性の向上等を踏まえつつ、更なる工夫が求められている。特に、ケースの内部におけるレイアウトが非常に重要であり、小型化、稠密化、及び組付け作業の容易化を達成すべく、ケースの内部に設ける構成要素の配置位置、及びその支持構造について、十分な検討が必要であると考えられる。
【０００６】
本発明は、かかる事情に鑑みてなされたものであり、その目的は、ケースの内部構造を合理的に構成してなる時計装置を提供することである。
【課題を解決するための手段】
【０００７】
本願第１請求項に記載した発明は、指針を駆動するムーブメントと、回路基板と、スピーカとをケースの内部に設けてなる時計装置において、前記ケースは、その正面側を構成する第１ケース部材と、その背面側を構成する第２ケース部材とを組付けてなるものであり、前記ムーブメントが前記第１ケース部材と前記回路基板との間に位置するとともに、前記スピーカが前記第２ケース部材と前記回路基板との間に位置するものとし、前記ムーブメントは、その正面側に前記指針を装着する指針パイプを備えるとともに、その背面側に前記指針の回転位置を調整する針合せ摘みを備えたものであり、前記回路基板は、その背面側に操作スイッチが搭載されたものであり、前記第１ケース部材には、前記指針パイプを露呈する第１孔部を設け、前記第２ケース部材には、前記針合せ摘みを露呈する第２孔部と、前記操作スイッチを露呈する第３孔部と、前記回路基板をねじ止めする第１雌ねじボスと、前記ムーブメントをねじ止めする第２雌ねじボスと、前記スピーカを装着するスピーカ装着部と、前記スピーカの音を前記ケースの外部に拡散する音孔とを設け、前記回路基板には、前記針合せ摘みを挿通する第１挿通部と、前記第２雌ねじボスを挿通する第２挿通部とを設けた構成の時計装置である。
【０００８】
本願第２請求項に記載した発明は、請求項１において、前記第１ケース部材には、前記回路基板の正面側の一部を露呈する凹部を設け、前記凹部にて露呈された前記回路基板の部位には、外部の環境を検出するセンサを搭載する端子を設けた構成の時計装置である。
【０００９】
本願第３請求項に記載した発明は、請求項１において、前記第１ケース部材には、前記回路基板の正面側の一部を露呈する凹部を設け、前記凹部にて露呈された前記回路基板の部位には、外部のリード線を接続する端子を設けた構成の時計装置である。
【発明の効果】
【００１０】
本発明によれば、ケースの内部構造を合理的に構成してなる時計装置を得ることができる。
【図面の簡単な説明】
【００１１】
【図１】本発明の実施例に係り、時計装置を示す正面図である。
【図２】本発明の実施例に係り、時計装置を示す背面図である。
【図３】本発明の実施例に係り、時計装置を示す側面図である。
【図４】本発明の実施例に係り、時計装置を示す側面透視説明図である。
【図５】本発明の実施例に係り、時計装置を示す上面透視説明図である。
【図６】本発明の実施例に係り、時計装置を示す上面透視説明図である。
【図７】本発明の実施例に係り、回路基板を示す背面図である。
【発明を実施するための形態】
【００１２】
以下に、本発明の実施例を図面に基づいて説明する。図１乃至図７に示す本例の時計装置１は、指針を駆動するムーブメント２００と、回路基板３００と、スピーカ４００とをケース１００の内部に設けてなるものである。この時計装置１は、所定の筐体に装着して報時時計を構成するユニットである。
【００１３】
ケース１００は、その正面側を構成する第１ケース部材１１０と、その背面側を構成する第２ケース部材１２０とを組付けてなるものである。第１ケース部材１１０及び第２ケース部材１２０は、所定の形状に成形された射出成形部材であり、互いにねじ止め又はフック止めして組付けるように構成されている。また、このケース１００は、ムーブメント２００が第１ケース部材１１０と回路基板３００との間に位置するとともに、スピーカ４００が第２ケース部材１２０と回路基板３００との間に位置するものとなっている。すなわち、ケース１００の内部における位置関係は、正面側から順に、ムーブメント２００、回路基板３００、スピーカー４００となっている。
【００１４】
ムーブメント２００は、その正面側に指針を装着する指針パイプ２１０を備えるとともに、その背面側に指針の回転位置を調整する針合せ摘み２２０を備えたものである。
【００１５】
このムーブメントは、モータと、モータに連結されたギア列からなる減速機構とを備え、指針パイプ２１０が減速機構を介してモータにより駆動する構成となっている。針合せ摘み２２０は、減速機構に連結されており、これを回転するとその動力が減速機構に伝わり、指針パイプが強制的に駆動される。モータ及び減速機構は、薄型のムーブメントケース２０１の内部に収納されている。指針パイプ２１０は、ムーブメントケース２０１の正面側に突出している。針合せ摘み２２０は、ムーブメントケース２０１の背面側に突出している。
【００１６】
回路基板３００は、時計装置１を制御する所要の回路を設けたものである。回路基板３００の背面側には、複数の操作スイッチが搭載されている。図例では、ダイヤル式の第１操作スイッチ３１１、スライド式の第２操作スイッチ３１２及び第３操作スイッチ３１３、プッシュ式の第４操作スイッチ３１４が設けられている。
【００１７】
時計装置１は、予め指定された時刻が到来するとスピーカ４００から報知音を発生するものとなっている。本例の場合、第１操作スイッチ３１１は、報知音の音量調整を行うものとなっている。第２操作スイッチ３１２は、報知音のＯＮ／ＯＦＦを切換えるものとなっている。第３操作スイッチ３１３は、アラーム音やメロディーといった報知音の種類を選択するものとなっている。第４操作スイッチ３１４は、押されると時刻に係らず調整・選択された報知音を発生するものとなっている。但し、各操作スイッチの機能や種類は、必要に応じて任意に設定することが可能であり、特に限定はしない。
【００１８】
本例の場合、第１ケース部材１１０には、ムーブメント２００の指針パイプ２１０を露呈する第１孔部１１１を設けている。
【００１９】
また、第２ケース部材１２０には、針合せ摘み２２０を露呈する第２孔部１２１と、各操作スイッチ３１１，３１２，３１３，３１４をそれぞれ露呈する複数の第３孔部１２２と、回路基板３００をねじ止めする第１雌ねじボス１２３と、ムーブメント２００をねじ止めする第２雌ねじボス１２４と、スピーカ４００を装着するスピーカ装着部１２５と、スピーカ４００の音をケース１００の外部に拡散する音孔１２６と、電池を収納する電池ボックス１２７とを設けている。電池ボックス１２７は、第２ケース部材１２０から第１ケース部材１１０の内側に延出しており、第２ケース部材１２０の背面下部から電池を出し入れする構成となっている。
【００２０】
更に、回路基板３００には、針合せ摘み２２０を挿通する第１挿通部３０１と、第２雌ねじボス１２４を挿通する第２挿通部３０２とを設けている。
【００２１】
時計装置１の組付け作業は、次の通りである。先ず、２ケース部材１２０の電池ボックス１２７に電池電極を設ける。尚、電池ボックス１２７に複数の電池を収納する場合は、必要に応じて電池電極同士をリード線にて接続する。そして、ムーブメント２００、スピーカ４００、及び電池電極の各配線を回路基板３００にはんだ付けして接続する。
【００２２】
次に、第２ケース部材１２０を作業台に載置し、スピーカ装着部１２５にスピーカ４００を装着する。図例したスピーカ装着部１２５は、第２ケース部材１２０の内側にスピーカ４００を嵌め込む円筒型のリブを設けてなるものである。スピーカ４００は、このスピーカ装着部１２５に嵌め込むとともに、スピーカ装着部１２５の近傍に設けられた雌ねじ部にフランジボルトを螺合して外脱を防止することにより、装着される。
【００２３】
次に、各操作スイッチ３１１，３１２，３１３，３１４を各第３孔部１２２に通しつつ回路基板３００を第１雌ねじボス１２３にねじ止めする。第２ケース部材１２０と回路基板３００との間には、第１雌ねじボス１２３の高さに応じてある程度の空間が形成される。この空間が、スピーカ４００のエンクロージャーとして作用する構成となっている。
【００２４】
そして、針合せ摘み２２０を第１挿通部３０１及び第２孔部１２１に通しつつムーブメント２００を第２雌ねじボス１２４にねじ止めする。この状態で、ムーブメント２００、回路基板３００、及びスピーカ４００が第２ケース部材１２０に支持された状態となる。
【００２５】
その後、指針パイプ２１０を第１孔部１１１に通しつつ第１ケース部材１１０を第２ケース部材１２０に組付ける。
【００２６】
このような構成によると、第２ケース部材１２０の向きを変えずに各構成要素を順次組付けることが可能である。組付け作業が容易となる利点がある。
【００２７】
また、本例のように、第２ケース部材１２０に電池ボックス１２７を設けることによれば、電池ボックス１２７を構成する部材を別途に用意する必要がないので、部品点数を削減することができる。特に、電池ボックス１２７に設けられるリード線、及びリード線のはんだ付けの箇所は、ムーブメント２００及び回路基板３００とともに第１ケース部材１１０に覆われるので、外観上の見栄えがよくなるという利点もある。
【００２８】
尚、本例の場合、第１ケース部材１１０には、回路基板３００の正面側の一部を露呈する凹部１１０ａを複数設けている。各凹部１１０ａにて露呈された回路基板３００の部位には、外部の環境を検出するセンサを搭載する端子３００ａと、外部のリード線を接続する端子３００ｂとをそれぞれ設けている。
【００２９】
外部の環境を検出するセンサとしては、例えばフォトセンサを設ける。フォトセンサにて明るさを検出し、これを時計装置１の制御にフィードバックする。
【００３０】
また、外部のリード線としては、例えば前述した操作スイッチとは別のスイッチのリード線を接続する。このような構成によると、時計装置１をユニットとして装着する筐体の要所にスイッチを設け、そのスイッチのリード線を回路基板３００に接続することができる。
【００３１】
以上説明したように、本例の時計装置は、報時時計を構成するユニットとして極めて合理的に構成されたものである。尚、本例における各部の構成は、特許請求の範囲に記載した技術的範囲において適宜に設計変更が可能であり、図例説明したものに限定されないことは勿論である。
【産業上の利用可能性】
【００３２】
本発明の時計装置は、アナログ式の報時時計を構成するユニットとして、極めて好適に利用することが可能である。
【符号の説明】
【００３３】
１    時計装置
１００    ケース
１１０    第１ケース部材
１１０ａ    凹部
１１１    第１孔部
１２０    第２ケース部材
１２１    第２孔部
１２２    第３孔部
１２３    第１雌ねじボス
１２４    第２雌ねじボス
１２５    スピーカ装着部
１２６    音孔
１２７    電池ボックス
２００    ムーブメント
２０１    ムーブメントケース
２１０    指針パイプ
２２０    針合せ摘み
３００    回路基板
３００ａ    端子
３００ｂ    端子
３０１    第１挿通部
３０２    第２挿通部
３１１    第１操作スイッチ
３１２    第２操作スイッチ
３１３    第３操作スイッチ
３１４    第４操作スイッチ
４００    スピーカ
【図１】
0005300087.tif 000002
【図２】
0005300087.tif 000003
【図３】
0005300087.tif 000004
【図４】
0005300087.tif 000005
【図５】
0005300087.tif 000006
【図６】
0005300087.tif 000007
【図７】
0005300087.tif 000008